(57)【要約】【課題】  レドーム装置として要求される機械的強度、剛性を満たしつつ軽量化を実現し、さらに容易な製造精度差の調整機能、解体・再組立機能を持たせる。【解決手段】  設置構造物上に設置された観測手段を覆うレドーム本体部と、前記観測手段を囲んでリング状に配置され、前記設置構造物に固定された複数の分割ブロックからなるレドーム固定部と、このレドーム固定部の前記複数の分割ブロックの間に形成された隙間を塞ぐように設けられた複数の壁部材と、これら複数の壁部材が設けられた前記レドーム固定部上に設けられた前記レドーム本体部を前記複数の分割ブロックにそれぞれ固定して前記レドーム本体部の内部を外部から遮断するようにした固定手段を有するレドーム固定部とを備えた。【選択図】        図１
2006217164.tif 000002
【特許請求の範囲】
【請求項１】
設置構造物上に設置された観測手段を覆うレドーム本体部と、前記観測手段を囲んでリング状に配置され、前記設置構造物に固定された複数の分割ブロックからなるレドーム固定部と、このレドーム固定部の前記複数の分割ブロックの間に形成された隙間を塞ぐように設けられた複数の壁部材と、これら複数の壁部材が設けられた前記レドーム固定部上に設けられた前記レドーム本体部を前記複数の分割ブロックにそれぞれ固定して前記レドーム本体部の内部を外部から遮断するようにした固定手段を有するレドーム固定部とを備えたレドーム装置。
【請求項２】
前記分割ブロックに位置決め用の位置決め穴を設けた請求項１に記載のレドーム装置。
【請求項３】
前記レドーム固定部は、下側プレート部を前記設置構造物に当設して固定されるＬ型分割ブロック、及びリング状に配置された複数のＬ型分割ブロックのうち、隣り合うＬ型分割ブロックに跨ぐようにして各Ｌ型分割ブロックに固定された複数のプレート天板部からなる請求項１に記載のレドーム装置。
【請求項４】
複数に分割されたレドーム固定部の分割ブロックを観測手段が設置される設置構造物上に所定間隔を設けてリング状に配置する工程と、前記設置構造物に配置された前記複数の分割ブロックを予め所定形状に形成された位置決め手段を用いて所定位置に位置決めする工程と、前記位置決め手段により位置決めされた前記複数の分割ブロックを第１の固定手段により前記設置構造物に固定する工程と、前記設置構造物に固定された前記複数の分割ブロックの間に形成された間隙を埋めるように複数の壁部材を設ける工程と、前記壁部材が設けられた前記複数の分割ブロックからなるレドーム固定部上に前記観測手段を覆うレドーム本体部を載置する工程と、前記レドーム固定部上に載置された前記レドーム本体部を第２の固定手段により前記複数の分割ブロック部にそれぞれ固定する工程とを備えたレドーム装置の製造方法。
【発明の詳細な説明】
【技術分野】
【０００１】
この発明は、屋外等に設置され、風、雨等の外界環境から内部に配置されたアンテナ装置等の観測手段を保護するレドーム装置に関する。
【背景技術】
【０００２】
レドーム装置は、屋外等に設置された観測手段を外界環境から保護する機能を有するものであり、アンテナ装置等の観測手段による電波の送受信に影響を及ぼさないよう所望の電波透過特性を有する一方、内部に設置された観測手段を風、雨等の外界環境から保護する必要があり、強風や豪雨等の外界環境の変化によって内部に配置されたレーダ装置等のアンテナ部が破損等しないように所望の機械的強度、剛性等を有した状態で建築物等の設置構造物に固定する必要がある。例えば、アンテナ装置の周囲を覆う円筒状のレドーム装置において、アンテナ装置による電波の送受信に影響が少ない架台部に内挿する部位のレドームの厚みをアンテナ装置を覆う部位よりも肉厚部となるように構成することにより円筒状レドーム装置の機械的強度、剛性を確保すること等が提案されている。
【０００３】
【特許文献１】特開平８−２７４５２８（第２頁、図１、図２）
【発明の開示】
【発明が解決しようとする課題】
【０００４】
しかし、従来のレドーム装置は以上のように構成されているので、十分な機械的強度、剛性を確保するためにアンテナ装置等を覆うレドーム本体部を設置構造物に固定する部分（以下、レドーム固定部という。）を肉厚に構成する必要があり、また、このレドーム本体部とレドーム固定部との取付精度を確保するためにこれらを構成する多数の構成部品について多くの加工作業が必要となり、材料及び加工量の削減や軽量化が困難である等の問題点があった。
【０００５】
また、このようなレドーム装置は、輸送上の規制等から、このようなレドーム本体部、レドーム固定部をこれらを構成する構成物品に一旦分割した状態で設置場所まで運搬する必要がある一方、設置場所においては、レドーム固定部と設置構造物の製造精度差を調整し、且つ、外界環境を遮断しつつ、必要なインターフェースが再現できるように組み立てることが必要である。
【０００６】
この発明は、上記のような課題を解決するためになされたもので、要求される機械的強度、剛性を満たしつつ、レドーム固定部における軽量化を実現する一方、このレドーム固定部と設置構造物との間における容易な製造精度差の調整機能、解体・再組立機能を併せもつ新規なレドーム装置を提供することを目的とする。
【課題を解決するための手段】
【０００７】
この発明に係るレドーム装置は、設置構造物上に設置された観測手段を覆うレドーム本体部と、前記観測手段を囲んでリング状に配置され、前記設置構造物に固定された複数の分割ブロックからなるレドーム固定部と、このレドーム固定部の前記複数の分割ブロックの間に形成された隙間を塞ぐように設けられた複数の壁部材と、これら複数の壁部材が設けられた前記レドーム固定部上に設けられた前記レドーム本体部を前記複数の分割ブロックにそれぞれ固定して前記レドーム本体部の内部を外部から遮断するようにした固定手段を有するレドーム固定部とを備えたものである。
【０００８】
また、この発明に係るレドーム装置の製造方法は、複数に分割されたレドーム固定部の分割ブロックを観測手段が設置される設置構造物上に所定間隔を設けてリング状に配置する工程と、前記設置構造物に配置された前記複数の分割ブロックを予め所定形状に形成された位置決め手段を用いて所定位置に位置決めする工程と、前記位置決め手段により位置決めされた前記複数の分割ブロックを第１の固定手段により前記設置構造物に固定する工程と、前記設置構造物に固定された前記複数の分割ブロックの間に形成された間隙を埋めるように複数の壁部材を設ける工程と、前記壁部材が設けられた前記複数の分割ブロックからなるレドーム固定部上に前記観測手段を覆うレドーム本体部を載置する工程と、前記レドーム固定部上に載置された前記レドーム本体部を第２の固定手段により前記複数の分割ブロック部にそれぞれ固定する工程とを備えたものである。
【発明の効果】
【０００９】
この発明によれば、設置構造物に複数の分割ブロック部を所定間隔を設けてリング状に配置し、これら複数の分割ブロック部からなるレドーム固定部上に観測手段を覆うレドーム本体部を設置ないし固定するように構成したので、要求される機械的強度、剛性を満たしつつ、レドーム固定部における軽量化を実現する一方、このレドーム固定部と設置構造物との間における容易な製造精度差の調整機能、解体・再組立機能を併せもつことができる。
【発明を実施するための最良の形態】
【００１０】
実施の形態１．
以下、この発明の実施の形態１について図１乃至図６を用いて説明する。図１は実施の形態１によるレドーム装置を示す構成図であって、組み立て状態にあるレドーム本体部の断面及びこのレドーム本体部の内側に配置されたアンテナ装置等の観測手段を部分的に示す全体構成図、図２は図１に示すＡ−Ａ’線から設置構造物側を見た場合であって、設置構造物上にレドーム本体部を固定するためのレドームベースリング（以下、レドーム固定部という。）の配置図である。図１及び図２において、１はレドーム本体部、２は屋外等に設けられた設置構造物、３は設置構造物２上にリング状に配置された複数の分割ブロック４からなるレドーム固定部、５は複数の分割ブロック４の間にそれぞれ設けられ、各分割ブロック４の間に形成された所定間隔の間隙を埋める壁部材、６は設置構造物２上に位置決めされた各分割ブロック４をそれぞれ設置構造物２に固定するボルト，ナット等からなる第１の固定手段、７は複数の分割ブロック４からなるレドーム固定部３上に載置されたレドーム本体部１を各分割ブロック４に固定するボルト，ナット等からなる第２の固定手段、８はリング状に配置された複数の分割ブロック４の中央付近であって、レドーム本体部１の内側に配置されたアンテナ装置である。
【００１１】
なお、実施の形態１によるレドーム装置では、レドーム固定部３を構成する複数の分割ブロック４をそれぞれＣ型構造とし、このＣ型構造からなる各分割ブロック４を第１の固定手段６である複数組の取付けボルト及びナットを用いて設置構造物２にそれぞれ固定する。図２に示すように、各分割ブロック４の端部付近には固定用穴９Ａがそれぞれ設けられており、この固定用穴９Ａを介して各分割ブロック４が設置構造物２に固定される。
【００１２】
次に、図１に示すレドーム固定部３の組み立てについて図３及び図４を用いて説明する。レドーム固定部３は、複数の分割ブロック４に分割された状態で屋外等に設けられたレドーム装置の設置場所まで輸送される。設置場所には図１に示すような設置構造物２が設けられており、この設置構造物２上にレドーム固定部３を組み立てる。まず、複数に分割されたレドーム固定部３の各分割ブロック４を設置構造物２上にリング状に配置する。この状態では各分割ブロック４は所定位置に配置されておらず、設置構造物２に固定することができないため、次のような手法により各分割ブロック４を予め定められた所定位置に位置決めする。
【００１３】
図３は設置構造物２上にリング状に配置された各分割ブロック４の位置決めについて説明するための部分斜視図である。図３において、９は分割ブロック４を設置構造物２上に位置決めするためのテンプレート、１０はテンプレート９に設けた位置決め用穴、１１は位置決めピンである。なお、図３に示すように、各分割ブロック４はその下側プレート部１２を設置構造物２にそれぞれ当設させており、上側プレート部１３にはレドーム本体部１が当設する。まず、構造物２上に配置された各分割ブロック４の上側プレート部１３にテンプレート９を重ねる。テンプレート９には位置決め用穴１０がそれぞれ設けられており、各位置決め穴１０に位置決めピン１１を挿入してその位置決めピン１２が対応する分割ブロック４の上側プレート部１３に設けた位置決め用穴１４に挿入された場合には各分割ブロック４が所定位置に位置決めされていることとなる。したがって、テンプレート９に設けられた各位置決め穴１０に位置決めピン１１を挿入し、対応する分割ブロック４の位置決め穴１４に位置決めピン１１が挿入されていない場合は分割ブロック４が所定位置からずれて配置されていることとなり、位置決めピン１１が挿入されるような位置に分割ブロック４を移動させる。このようにしてリング状に配置された複数の分割ブロック４をそれぞれ所定位置に位置決めすることができる。なお、テンプレート９は設置構造物２上に組み立てられるレドーム固定部３の輪郭形状に合わせた形状に形成されており、テンプレート９の位置決め穴１０は、各分割ブロック４が所定位置に配置されるよう所定の間隔を設けている。
【００１４】
この各分割ブロック４の位置決め作業により、レドーム固定部３を構成する複数の分割ブロック４が設置構造物２上の所定位置に所定間隔をおいてリング状に配置される。各分割ブロック４の下側プレート部１２には固定用穴１５が設けられており、この固定用穴１５に図１に示すような第１の固定手段６である取付けボルト等を通して各分割ブロック４を設置構造物２に固定する。なお、各分割ブロック４を設置構造部２に固定した状態では各分割ブロック４の間に間隙が形成されるので、これらの間隙を埋めるべく各分割ブロック４の間に形成された各間隙に壁部材５をそれぞれ設ける。図４は設置構造物２に固定された各分割ブロック４の間隙部に壁部材５を設けた状態を示す部分斜視図である。図４に示すように、設置構造物２上に固定された各分割ブロック４の間隙部に薄板状の壁部材５を設け、各分割ブロック４と壁部材５との間に生じるわずかの隙間についてはコーキング材１７を用いて埋めることにより外界環境を遮断する。これにより、複数の分割ブロック４に分割された状態のレドーム固定部３が設置構造物２上に再現される。このようにして設置構造物２上にレドーム固定部３が再現されると、次にこのレドーム固定部３上にレドーム本体部１を載置する。なお、図３及び図４においては、第１の固定手段６の図示を省略している。
【００１５】
図５は図１に示すレドーム固定部３にレドーム本体部１を載置して固定した状態を示す部分斜視図である。図５において、１８はレドーム本体部１のインタフェース部である。レドーム本体部１のインタフェース部１８にはレドーム本体部１を固定するための固定用穴（図示省略）が設けられており、この固定用穴と各分割ブロック４の上側プレート部１３に設けられた固定用穴１６とが重なるようにしてレドーム本体部１をレドーム固定部３上に載置する。そして、図５に示すように、第２の固定手段７を用いてレドーム本体部１を各分割ブロック４にそれぞれ固定する。図６は図１に示すような実施の形態１によるレドーム装置におけるレドーム本体部１と分割ブロック４と設置構造物２との接続部分について示す部分断面図である。図６に示すように、レドーム本体部１は分割ブロック４を介して設置構造物２上に固定される。
【００１６】
このようにして、複数の分割ブロック４からなるレドーム固定部３に対してレドーム本体部１が取り付けられ、レドーム装置が組み立てられる。なお、実施の形態１ではレドーム本体部１の構造について説明を省略したが、レドーム本体部１は分割可能に構成したものでもよく、例えば、複数に分割されたパネル状のレドーム部材等を設置場所において組み立ててレドーム固定部３上に固定するようにしてもよい。
【００１７】
以上のように、実施の形態１によるレドーム装置によれば、設置構造物２上に固定するレドームベースリング等のレドーム固定部３を複数の分割ブロック４により構成し、各分割ブロック４間を所定間隔を設けてリング状に配置するようにしたので、レドーム固定部３の不要構造物、例えば、取付けボルト間の構造体を最大限に排除することができ、レドーム固定部３における軽量化を実現する一方、このレドーム固定部３と設置構造物２との間における容易な製造精度差の調整機能、解体・再組立機能を併せもつことができる。
【００１８】
また、必要最小限の構造体によりレドーム固定部３が構成されることにより、レドーム本体部１及び設置構造物２とにそれぞれ接する分割ブロック４の下側プレート部１２及び上側プレート部１３の加工面積が減少し、取付面精度を確保するための機械加工量を削減することができる。
【００１９】
実施の形態２．
次に、この発明の実施の形態２について図７を用いて説明する。実施の形態１によるレドーム装置では、レドーム固定部３の輪郭形状に合わせて形成したテンプレート９を用いて各分割ブロック４の位置決めを行ったが、他の形状のテンプレートを用いてもよく、実施の形態２においては、図１に示すようなレドーム装置において、簡易な形状のテンプレートを用いて分割ブロック４の位置決めを行うように構成したものである。図７は実施の形態２のレドーム固定部３ｂを部分的に示す部分斜視図である。図７において、４ｂは上側プレート部の長手方向の寸法を実施の形態１によるものよりも長く形成し、隣り合うＣ型構造の分割ブロック４ｂ同士で部材が重なり合い、かつ、組み立て時の相対位置を一意に定めることの出来る位置決め用穴１４ｂを有する位置決め機能付上側プレート１３ｂを有する分割ブロック、１９はこのような分割ブロック４ｂを設置構造物２上に位置決めするためのテンプレートである。なお、図中、同一符号は、同一又は相当部分を示し、これらについての詳細な説明は省略する。
【００２０】
図７に示すように、実施の形態２のレドーム固定部３ｂは、テンプレート１９には位置決め用穴２０が設けられており、このテンプレート１９及び位置決めピン９によって設置構造物２上に配置された複数の分割ブロック４ｂがテンプレートによって所定位置に位置決めされ、第１の固定手段によって設置構造物２に固定される。このように、実施の形態２によるレドーム装置においても、レドーム固定部３ｂの不要構造物、例えば、取付けボルト間の構造体を最大限に排除することができ、レドーム固定部３ｂにおける軽量化を実現する一方、このレドーム固定部３と設置構造物２との間における容易な製造精度差の調整機能、解体・再組立機能を併せもつことができる。
【００２１】
実施の形態３．
次に、この発明の実施の形態３について図８を用いて説明する。実施の形態１によるレドーム装置では、レドーム固定部３を構成する分割ブロック４の構造をＣ型構造としたが、他の構造としてもよく、実施の形態２においては、分割ブロックの構造をＬ型構造としたものについて説明する。図８は実施の形態３のレドーム固定部３ｃを部分的に示す部分斜視図である。図８において、４ｃはレドーム固定部３ｃを構成するＬ型構造の分割ブロック、２１は分割ブロック４ｃの天板部であって、設置構造物２に配置された各分割ブロック４ｃの位置決め機能を有するテンプレート天板部、２２はテンプレート天板部１５の位置決め用穴である。なお、図中、同一符号は、同一又は相当部分を示し、これらについての詳細な説明は省略する。
【００２２】
図８に示すレドーム固定部３ｃの組み立てについて説明する。まず、設置構造物２上にＬ型構造の分割ブロック４ｃをリング状に配置し、各分割ブロック４ｃにテンプレート天板部２１を重ねる。テンプレート天板部２１には位置決め用穴２２がそれぞれ設けられており、各位置決め穴２２に位置決めピン１１を挿入してその位置決めピン１１が対応する分割ブロック４ｃに設けた位置決め用穴１４ｃに挿入された場合には各分割ブロック４ｃが所定位置に位置決めされていることとなる。したがって、テンプレート天板部２１に設けられた各位置決め穴２２に位置決めピン１１を挿入し、対応する分割ブロック４ｃの位置決め穴１４ｃに位置決めピン１１が挿入されていない場合は分割ブロック４ｃが所定位置からずれて配置されていることとなり、位置決めピン１１が挿入されるような位置に分割ブロック４ｃを移動させる。このようにしてリング状に配置された複数の分割ブロック４ｃをそれぞれ所定位置に位置決めすることができる。
【００２３】
この各分割ブロック４ｃの位置決め作業により、レドーム固定部３ｃを構成する複数の分割ブロック４ｃが設置構造物２上の所定位置に所定間隔をおいてリング状に配置される。各分割ブロック４ｃの下側プレート部１２には固定用穴１５がそれぞれ設けられており、この固定用穴１５に第１の固定手段６である取付けボルト等を通して各分割ブロック４ｃを設置構造物２に対して固定する。そして、各分割ブロック４ｃの間に形成された間隙部を複数の壁部材５を設けてそれぞれ埋めた後、図８に示すようにテンプレート天板部２１を天板用の固定手段２３である取付けボルト等を用いて分割ブロック４ｃにそれぞれ固定する。このテンプレート天板部２１は隣り合う分割ブロック４ｃ及びこれら分割ブロック４ｃの間に設けられた壁部材５を跨ぐようにして設けており、複数のテンプレート天板部２１によって各分割ブロック４ｃの上側が覆われる。このようにして複数の分割ブロック４ｃにより構成されるレドーム固定部３ｃが設置構造物２上に再現される。このようにして再現されたレドーム固定部３ｃ上にレドーム本体部１を載置して固定する。
【００２４】
以上のように、実施の形態３によるレドーム装置によれば、設置構造物２上に固定するレドームベースリング等のレドーム固定部３ｃを、複数の分割ブロック４ｃにより構成し、各分割ブロック４ｃ間を所定間隔を設けてリング状に配置するようにしたので、レドーム固定部３ｃの不要構造物、例えば、取付けボルト間の構造体を最大限に排除することができ、レドーム固定部３ｃにおける軽量化を実現する一方、このレドーム固定部３ｃと設置構造物２との間における容易な製造精度差の調整機能、解体・再組立機能を併せもつことができる。
【００２５】
また、Ｌ型構造の分割ブロック４ｃ及びテンプレート天板部２１によりレドーム固定部３ｃを構成したので、別に位置決め手段を用いることなくレドーム固定部３ｃを構成する部材により各分割ブロック４ｃを位置決めすることができ、組立後の不要となる部材を減少して省資源化を図ることができる。
【図面の簡単な説明】
【００２６】
【図１】実施の形態１によるレドーム装置を示す全体構成図である。
【図２】図１に示すＡ−Ａ’線から設置構造物２側を見た場合におけるレドーム固定部の配置図である。
【図３】図１に示す設置構造物２上にリング状に配置された各分割ブロック部４の位置決めについて説明するための部分斜視図である。
【図４】図１に示す設置構造物２に固定された各分割ブロック部４の間隙部に壁部材５を設けた状態を示す部分斜視図である。
【図５】図１に示すレドーム固定部３にレドーム本体部１を固定した状態を示す部分斜視図である。
【図６】図１に示すレドーム本体部１とレドーム固定部３と設置構造物２との接続部分の構成について示す部分断面図である。
【図７】実施の形態２のレドーム固定部３ｂを部分的に示す部分斜視図である。
【図８】実施の形態３のレドーム固定部３ｃを部分的に示す部分斜視図である。
【符号の説明】
【００２７】
１  レドーム本体部、２  設置構造物、
３，３ｂ，３ｃ  レドームベースリング（レドーム固定部）、
４，４ｂ，４ｃ  分割ブロック、５壁部材、
６  第１の固定手段、７  第２の固定手段、８  観測手段、
９  テンプレート（位置決め手段）、１０，２２  位置決め用穴、
１１  位置決め用ピン、１４，１４ｂ，１４ｃ  位置決め用穴、
２１  テンプレート天板部。
【図１】
2006217164.tif 000003
【図２】
2006217164.tif 000004
【図３】
2006217164.tif 000005
【図４】
2006217164.tif 000006
【図５】
2006217164.tif 000007
【図６】
2006217164.tif 000008
【図７】
2006217164.tif 000009
【図８】
2006217164.tif 000010